(57)【特許請求の範囲】
【請求項１】
環状壁とこの環状壁と一体的に形成された底壁と天井壁とから形成されたファン室、このファン室に連通して形成された接続管、流入用の孔と流出用の孔とを有する蓋体を前記天井壁に設けることによって形成された収納室、前記ファン室に回転可能に配設されたファン、複数の羽根を有して前記ファンの回転軸に取り付けられ前記収納室に配設されて、前記流入用の孔から前記収納室に清掃用水を吸込んでこの水を前記流出用の孔から流出させる泡立て部材、前記天井壁に設けられて、前記収納室を流れる清掃用水を泡立てる空気を前記ファン室から前記収納室に吹き出す吹出口を具備してなり、前記接続管からファンを回転させる空気を送気して前記泡立て部材を回転させることを特徴とする清掃具。
【請求項２】
環状壁とこの環状壁と一体的に形成された底壁と天井壁とから形成されたファン室、このファン室に連通して形成された接続管、流入用の孔と流出用の孔とを有する蓋体を前記天井壁に設けることによって形成された収納室、前記ファン室に回転可能に配設されたファン、複数の羽根を有して前記ファンの回転軸に取り付けられ前記収納室に配設されて、前記流入用の孔から前記収納室に清掃用水を吸込んでこの水を前記流出用の孔から流出させる泡立て部材、前記天井壁に設けられて、前記収納室を流れる清掃用水を泡立てる空気を前記ファン室から前記収納室に吹き出す吹出口、前記ファンを間に置いて前記泡立て部材と反対側に前記ファン室から突出された前記回転軸の端部に取り付けられた攪拌体を具備してなり、前記接続管からファンを回転させる空気を送気して前記泡立て部材及び攪拌体を回転させることを特徴とする清掃具。
【請求項３】
環状壁とこの環状壁と一体的に形成された底壁と天井壁とから形成されたファン室、このファン室に連通して形成された接続管、一方側に開口面積の大きい流出用の貫通孔を、他方側に開口面積の小さい複数の流入用の小孔を有する蓋体を、前記貫通孔を前記接続管側に配置して前記天井壁に設けることによって形成された収納室、前記ファン室に回転可能に配設されたファン、複数の羽根を有して前記ファンの回転軸に取り付けられ前記収納室に配設されて、前記小孔から前記収納室に清掃用水を吸込んでこの水を前記貫通孔孔から流出させる泡立て部材、前記天井壁に設けられて、前記収納室を流れる清掃用水を泡立てる空気を前記ファン室から前記収納室に吹き出す吹出口を具備してなる清掃具と、この清掃具の接続管に給気管を介して接続され前記ファン室に配設されたファンを回転させる空気を送気する電動送風部とからなることを特徴とする清掃機。
【請求項４】
環状壁とこの環状壁と一体的に形成された底壁と天井壁とから形成されたファン室、このファン室に連通して形成された接続管、一方側に開口面積の大きい流出用の貫通孔を、他方側に開口面積の小さい複数の流入用の小孔を有する蓋体を、前記貫通孔を前記接続管側に配置して前記天井壁に設けることによって形成された収納室、前記ファン室に回転可能に配設されたファン、複数の羽根を有して前記ファンの回転軸に取り付けられ前記収納室に配設されて、前記小孔から前記収納室に清掃用水を吸込んでこの水を前記貫通孔孔から流出させる泡立て部材、前記天井壁に設けられて、前記収納室を流れる清掃用水を泡立てる空気を前記ファン室から前記収納室に吹き出す吹出口、前記ファンを間に置いて前記泡立て部材と反対側に前記ファン室から突出された前記回転軸の端部に取り付けられた攪拌体を具備してなる清掃具と、この清掃具の接続管に給気管を介して接続され前記ファン室に配設されたファンを回転させる空気を送気する電動送風部とからなることを特徴とする清掃機。
【請求項５】
請求項２記載の発明における攪拌体に払拭機能を持たせたことを特徴とする清掃具。
【請求項６】
請求項４記載の発明における攪拌体に払拭機能を持たせたことを特徴とする清掃機。
【請求項７】
請求項３，４，６の内のいずれか一項記載の発明における電動送風部を、集中排気口を備えた電気掃除機としたことを特徴とする清掃機。
【発明の詳細な説明】
【０００１】
【発明の属する技術分野】
この発明は、浴槽等の水を溜める容器等あるいは浴室の洗い場等を清掃する清掃具及び清掃機に関する。
【０００２】
【従来の技術】
従来の浴槽等の水を溜める容器等あるいは浴室の洗い場等（以下これらを総称して浴槽等という）を清掃する清掃機としては、本体内にモーターを配設するとともに前記モーターによって回転する回転清掃体を設け、前記モーターによって回転清掃体を回転させて清掃する形式の清掃機、一般家庭において使用されている電気掃除機の吸込みホースの先端部等に取り付けられる本体に、回転清掃体と吸込みホースの先端部または延長管に設けたコネクターを介して給電され前記回転清掃体を回転させるモーターを設け、電気掃除機本体側から前記コネクターを介して電力を供給し、前記回転清掃体を回転させて清掃する清掃機、あるいは電気掃除機の吸込みホースの先端部に取り付けられ、電気掃除機の吸込気流により回転するファンによって回転する回転清掃体を設けて電気掃除機を駆動して回転清掃体を回転させる形式の清掃機等がある。
【０００３】
しかし、本体内に配設したモーターによって回転清掃体を回転させて清掃する形式の清掃機は、清掃作業中に洗剤等を使用することからモーターあるいはコネクター等の絶縁を確実にするための構成が必要であり、このため構造が複雑となるとともにコスト面では高価となってしまうものである。
【０００４】
また、電気掃除機の吸込みホースの先端部等に取り付けられ吸込みホース等の先端部に設けたコネクターを介して電気掃除機本体側から電力を供給して、回転清掃体を回転させて清掃する清掃機は、上記の場合と同様、清掃作業中に洗剤等が使用されることからモーターあるいはコネクター等の絶縁を確実にするための構成が必要であるため構造が複雑となるとともにコスト面では高価となってしまう。しかも、場合によっては吸込み気流とともに水が吸引されるため電動送風機等に悪影響を及ぼすという事態が生じる。
【０００５】
また、電気掃除機の吸込気流により回転するファンによって回転清掃体を回転させる形式の清掃機は、吸込み気流とともに水が吸引され電動送風機等に悪影響を及ぼすという事態が生じる。
【０００６】
【発明が解決しようとする課題】
従来の浴槽等を清掃する清掃機は、上述のように、モーターを使用したものでは清掃作業中に洗剤等が使用されること等からモーターあるいはコネクター等の絶縁を確実にするための構造が複雑となるとともにコスト面では高価となってしまうという問題があり、また、電気掃除機を用いたものでは、モーターあるいはコネクター等の絶縁を確実にするための構造が複雑となるとともにコスト面では高価となってしまうという問題があり、また、吸込み気流によって回転するファンを用いるものでは、吸込み気流とともに水が吸引されるため電動送風機等に悪影響を及ぼすという事態が生じるという問題がある。
【０００７】
【課題を解決するための手段】
この発明は上記事情に鑑みてなされたものであり、請求項１記載の発明は、環状壁とこの環状壁と一体的に形成された底壁と天井壁とから形成されたファン室、このファン室に連通して形成された接続管、流入用の孔と流出用の孔とを有する蓋体を前記天井壁に設けることによって形成された収納室、前記ファン室に回転可能に配設されたファン、複数の羽根を有して前記ファンの回転軸に取り付けられ前記収納室に配設されて、前記流入用の孔から前記収納室に清掃用水を吸込んでこの水を前記流出用の孔から流出させる泡立て部材、前記天井壁に設けられて、前記収納室を流れる清掃用水を泡立てる空気を前記ファン室から前記収納室に吹き出す吹出口を具備してなり、前記接続管からファンを回転させる空気を送気して前記泡立て部材を回転させる清掃具としたものである。
【０００８】
この請求項１に係る発明の清掃具は、空気を送気する電動送風機等におけるモーターあるいはコネクター等を用いないことから、電気的絶縁を必要としない。このため、これら絶縁構成を不要とするとともに安価とすることができる。また、ファンを回転させる空気は吸込み気流でないことから、水等が吸引されることはなく、電動送風機等に悪影響を及ぼすことを確実に排除できるという作用を有するものである。
【０００９】
また、請求項２記載の発明は、環状壁とこの環状壁と一体的に形成された底壁と天井壁とから形成されたファン室、このファン室に連通して形成された接続管、流入用の孔と流出用の孔とを有する蓋体を前記天井壁に設けることによって形成された収納室、前記ファン室に回転可能に配設されたファン、複数の羽根を有して前記ファンの回転軸に取り付けられ前記収納室に配設されて、前記流入用の孔から前記収納室に清掃用水を吸込んでこの水を前記流出用の孔から流出させる泡立て部材、前記天井壁に設けられて、前記収納室を流れる清掃用水を泡立てる空気を前記ファン室から前記収納室に吹き出す吹出口、前記ファンを間に置いて前記泡立て部材と反対側に前記ファン室から突出された前記回転軸の端部に取り付けられた攪拌体を具備してなり、前記接続管からファンを回転させる空気を送気して前記泡立て部材及び攪拌体を回転させる清掃具としたものである。
【００１０】
この請求項２に係る発明の清掃具は、モーターあるいはコネクター等を用いないことから、電気的絶縁を必要としないため、これら絶縁構成を不要とするとともに安価とすることができる。また、ファンを回転させる空気は吸込み気流でないことから、水等が吸引されることはなく、電動送風機等に悪影響を及ぼすことを確実に排除できるという作用を有するものである。
【００１１】
また、前記ファンによって回転する攪拌体によって生じる水流によって浴槽等の内周壁面の汚れを確実に除去できるという作用を有するものである。この作用は浴槽等の水に洗剤を加えることによりさらに向上させることができるものである。
【００１２】
また、請求項３記載の発明は、環状壁とこの環状壁と一体的に形成された底壁と天井壁とから形成されたファン室、このファン室に連通して形成された接続管、一方側に開口面積の大きい流出用の貫通孔を、他方側に開口面積の小さい複数の流入用の小孔を有する蓋体を、前記貫通孔を前記接続管側に配置して前記天井壁に設けることによって形成された収納室、前記ファン室に回転可能に配設されたファン、複数の羽根を有して前記ファンの回転軸に取り付けられ前記収納室に配設されて、前記小孔から前記収納室に清掃用水を吸込んでこの水を前記貫通孔孔から流出させる泡立て部材、前記天井壁に設けられて、前記収納室を流れる清掃用水を泡立てる空気を前記ファン室から前記収納室に吹き出す吹出口を具備してなる清掃具と、この清掃具の接続管に給気管を介して接続され前記ファン室に配設されたファンを回転させる空気を送気する電動送風部とからなる清掃機としたものである。
【００１３】
この請求項３に係る発明の清掃機は、その清掃具にモーターあるいはコネクター等を用いないことから、電気的絶縁を必要としないため、絶縁構成を不要とするとともに安価とすることができる。また、ファンを回転させる空気は吸込み気流でないことから、水等が吸引されることはなく、電動送風機等に悪影響を及ぼすことを確実に排除できるという作用を有するものである。
【００１４】
また、前記ファンによって回転する泡立て部材が生起する水流への空気の混入によって生じる気泡によって、浴槽等の内周壁面の汚れを確実に除去できるという作用を有するものである。この作用は浴槽等の水に洗剤を加えることにより、さらに泡立てを容易にできるとともに、発生量も多くできることからさらに清掃効果を向上させることができるという作用を有するものである。
【００１５】
また、請求項４記載の発明は、環状壁とこの環状壁と一体的に形成された底壁と天井壁とから形成されたファン室、このファン室に連通して形成された接続管、一方側に開口面積の大きい流出用の貫通孔を、他方側に開口面積の小さい複数の流入用の小孔を有する蓋体を、前記貫通孔を前記接続管側に配置して前記天井壁に設けることによって形成された収納室、前記ファン室に回転可能に配設されたファン、複数の羽根を有して前記ファンの回転軸に取り付けられ前記収納室に配設されて、前記小孔から前記収納室に清掃用水を吸込んでこの水を前記貫通孔孔から流出させる泡立て部材、前記天井壁に設けられて、前記収納室を流れる清掃用水を泡立てる空気を前記ファン室から前記収納室に吹き出す吹出口、前記ファンを間に置いて前記泡立て部材と反対側に前記ファン室から突出された前記回転軸の端部に取り付けられた攪拌体を具備してなる清掃具と、この清掃具の接続管に給気管を介して接続され前記ファン室に配設されたファンを回転させる空気を送気する電動送風部とからなる清掃機としたものである。
【００１６】
この請求項４に係る発明の清掃機は、その清掃具にモーターあるいはコネクター等を用いないことから、電気的絶縁を必要としないため、絶縁構成を不要とするとともに安価とすることができる。また、ファンを回転させる空気は吸込み気流でないことから、水等が吸引されることはなく、電動送風機等に悪影響を及ぼすことを確実に排除できるという作用を有するものである。
【００１７】
また、前記ファンによって回転する攪拌体によって生じる水流および気泡によって生じる清掃作用の相乗効果によって浴槽等の内周壁面の汚れを確実に除去できるという作用を有するものである。
【００１８】
また、請求項５記載の発明は、請求項２記載の発明における攪拌体に払拭機能を持たせた清掃具としたものである。同様に、請求項６記載の発明は、請求項４記載の発明における攪拌体に払拭機能を持たせた清掃機としたものである。
【００１９】
これらの請求項５，６に記載の発明は、攪拌体により浴槽等の内周壁面に付着した汚れを払拭できることから、浴槽等の清掃面の清掃効果を向上させることができるという作用を有するものである。
【００２０】
また、請求項７記載の発明は、請求項３,４,６の内のいずれか一項記載の発明における電動送風部を電気掃除機とした清掃機としたものである。
【００２１】
この請求項７記載の発明は、集中排気口を備えた電気掃除機を電動送風部として共用できることから、安価とできるという作用を有するものである。
【００２２】
【発明の実施の形態】
つぎに、この発明の実施の形態を図１ないし図５に基づいて説明する。
【００２３】
図１はこの発明の実施の形態の清掃機の全体斜視図であり、同図において符号１は清掃機であり、この清掃機１は清掃具１０とこの清掃具１０に空気を送気する電動送風部としての電気掃除機１００とから構成されている。
【００２４】
つぎに、前記清掃具１０を図１、図３および図４に基づいて説明する。この清掃具１０は、図４に示すように下部ケース２０とこの下部ケース２０と接着等適宜な取り付け方法によって一体に結合された上部ケース３０、この上部ケース３０に上部に同様に接着等適宜な取り付け方法によって一体に結合された蓋体４０によって構成された本体ケース１１、およびこの本体ケース１１に形成された後述するファン室１２および収納室１３に配設されるファン５０および泡立て部材６０、前記ファン５０の回転軸に取り付けられる攪拌体７０等から構成されている。
【００２５】
そして、前記下部ケース２０は、底壁２１とこの底壁２１の外周部に一体に形成された環状壁２２とからなり図４において上方を開口した略皿状に形成されており、また、後部つまり図４において右側には接続管２８の一方側つまり下側部を構成する接続管片２８ａが後方に延出されて設けられている。また、前記底壁２１は上面側を凸曲面とするとともに中央部に向って下側に傾斜させて形成されており、また、中央部には貫通孔２３が形成されておりこの貫通孔２３には軸受２４が圧入により取り付けられている。
【００２６】
また、前記環状壁２２および接続管片２８ａの上部縁には嵌合部２５が形成されている。
【００２７】
つぎに、前記上部ケース３０は、前記下部ケース２０の底壁２１と対向する天井壁３１とこの天井壁３１の外周部には前記下部ケース２０の環状壁２２と同一径とした環状壁３２とからなり図４において下方を開口した略皿状に形成されており、また、後部つまり図４において右側には前記接続管２８の他方側つまり上側部を構成する接続管片３８ａが後方に延出されて設けられている。また、前記天井壁３１の中央部には貫通孔３３が形成されておりこの貫通孔３３には軸受３４が圧入により取り付けられている。
【００２８】
また、前記環状壁３２および接続管片３８ａの下部縁は前記下部ケース２０の環状壁２２および接続管片２８ａの上部縁に形成された嵌合部２５と互いに嵌合する嵌合部３５が形成されている。
【００２９】
そして、下部ケース２０と上部ケース３０とは前記嵌合部２５および嵌合部３５を嵌合するとともに接着剤あるいはねじによって気密状態に結合されるものである。
【００３０】
そして、下部ケース２０と上部ケース３０とが結合された状態では、その内部には下部ケース２０および上部ケース３０の底壁２１、天井壁３１と環状壁２２、環状壁３２によって囲まれた前記ファン室１２が形成されているものである。
【００３１】
また、前記天井壁３１に前部側つまり前記本体ケース１１に設けられた接続管２８と対向する側には吹出口３６が形成されている。
【００３２】
なお、下部ケース２０と上部ケース３０とを結合する際には、前記ファン室１２内に後詳述するファン５０が配設されるものである。
【００３３】
つぎに、前記上部ケース３０の上部つまり上部ケース３０の上面にこの上面を覆うようにして取り付けられる前記蓋体４０について説明する。
【００３４】
この蓋体４０は図４に示すように下方を開口４１とした椀状に形成されており、前記開口４１の開口縁は前記上部ケース３０の天井壁３１の外周と同一の大きさに形成されている。また、蓋体４０の上面外周部には、図１、図３に示すように前部領域つまり前記本体ケース１１に設けられた接続管２８と反対側の領域に開口面積の小さい小孔４２が複数形成され、また、略中心部から後部側つまり接続管２８側には開口面積の大きい複数（図１、図３では３個）の貫通孔４３が形成されている。
【００３５】
そして、前記蓋体４０は開口４１の開口縁を前記上部ケース３０に天井壁３１の外周部に接合して接着剤あるいはねじによって取り付けられ、取り付けられた状態では天井壁３１と蓋体４０とによって収納室１３が形成されるものである。
【００３６】
そして、前記小孔４２は浴槽等の水を前記収納室１３に流入させるためのものであり、また、貫通孔４３は小孔４２から収納室１３に流入した水を生起された泡とともに外部に流出させるためのものである。
【００３７】
つぎに、前記ファン室１２に配設されるファン５０に付いて説明する。
【００３８】
このファン５０は、軸孔５１が形成された軸体５２が一体に設けられた円盤状の基板５３と、この基板５３の一側面と軸体５２の外周に一体に設けられたファン翼５４とから構成されており、また、このファン翼５４は前記接続管２８を通って流入する空気の流れの上流側を凹曲面とする円弧状に形成されている。
【００３９】
また、ファン５０の前記軸体５２の軸孔５１には回転軸５７が圧入等により一体に取り付けられており、また、前記回転軸５７の両端は軸体５２の両端よりも所定長突出する長さに設定されており、また、回転軸５７の一端側つまり下部ケース２０側の端部には下部ケース２０の軸受２４から突出した部分に例えばＣリング等からなる抜止部材５８ａを嵌め込む環状の凹溝５８が形成されている。
【００４０】
そして、ファン５０が取り付けられた回転軸５７を下部ケース２０の軸受２４に挿通させて、前記凹溝５８に抜止部材５８ａを嵌め込んだ状態では軸体５２の下端面と前記抜止部材５８ａとが軸受２４の両端面に適宜のクリアランスをもって当接し回転軸５７の軸方向の動きが規制され、ファン５０は回転軸５７と一体的に回転自在となっているものである。
【００４１】
つぎに、前記回転軸５７の前記一端側つまり軸受２４から突出している先端部には、攪拌体７０が一体的に取り付けられており、この攪拌体７０は、例えばゴム等の材料からなり、図４に示すように外周縁に下部ケース２０側に向けて形成した環状縁７２が形成された円盤部７１によって形成されている。また、前記円盤部７１の下面は浴槽等の内周壁に付着した汚れを払拭するための微小な凹凸を形成して払拭面となっている。また、円盤部７１の中央部には取付孔７３が形成されており、この取付孔７３に前記回転軸５７の一端側端部を圧入するとともに接着剤など適宜な方法で回転軸５７に取り付けることにより、攪拌体７０は回転軸５７に一体的に取り付けられるものである。
【００４２】
つぎに、前記収納室１３内に配設される泡立て部材６０は、図４に示すように前記回転軸５７の他端側を圧入される嵌合穴６１が設けられた軸部６２とこの軸部６１に一体に設けられるとともに図３に示すように放射状に形成された複数（図３では８枚）の羽根６３とで形成されている。
【００４３】
そして、この泡立て部材６０が回転すると羽根６３の作用により前記小孔４２から収納室１３内に水が流入、この流入した水は前記天井壁３１に形成した吹出口３６から吹き出される空気と混合されるため、水には泡つまり気泡が生起されこの気泡は水とともに羽根６３の作用により前記貫通孔４３から流出するものである。
【００４４】
つぎに、前記ファン５０のファン室１２内への配設および泡立て部材６０の収納室１３内への配設の仕方について説明する。
【００４５】
まず、軸受２４が取り付けられた下部ケース２０、軸受３４が取り付けられた上部ケース３０、回転軸５７を取り付けたファン５０、蓋体４０および泡立て部材６０を準備し、ついでファン５０に取り付けられた回転軸５７の一端側を下部ケース２０の軸受２４を貫通させるとともに前記凹溝５８に抜止部材５８ａを嵌め込みファン５０を下部ケース２０に取り付ける。ついで、前記上部ケース３０の軸受３４に回転軸５７の他端側を挿通させつつ上部ケース３０の嵌合部３５を下部ケース２０の嵌合部２５に嵌合させるとともに接着剤等によって両者を結合する。このことによりファン５０は回転軸５７とともに前記ファン室１２内に回転自在にして配設されるものである。そして、この状態では回転軸５７の他端側は上部ケース３０に取り付けた軸受３４から突出している。
【００４６】
ついで、上部ケース３０に取り付けた軸受３４から突出している回転軸５７の他端部を泡立て部材６０に軸部６２の嵌合穴６１に圧入して一体的に取り付ける。  ついで、蓋体４０を上部ケース３０に天井壁３１に接着等により取り付けることにより、収納室１３が形成されるとともに、この収納室１３内にファン５０とともに回転する泡立て部材６０が配設されるものである。
【００４７】
ついで、前記回転軸５７の一端側に前記攪拌体７０を取り付け、また、前記接続管２８に、回転管１４を取り付けることにより清掃具１０の組み立ては完了する。
【００４８】
つぎに、電動送風機としての前記電気掃除機１００について図１、図２について説明する。
【００４９】
図２に示すように電気掃除機（以下単に掃除機という）１００は、掃除機本体１０２、この掃除機本体１０２の吸込口１０８に接続される吸込みホース１０５、この吸込みホース１０５に図示しない延長管を介して接続される床ブラシ等の図示しない吸込口体等から構成されている。
【００５０】
そして、図２に示すように掃除機本体１０２の本体ケース１１０の内部には、開口１１１ａを有する前側仕切壁１１１とこの前側仕切壁１１１と所定間隔離間して形成して設けられ開口１１２ａを有する後側仕切壁１１２とが形成されている。前側仕切壁１１１の前側には集塵室１１４が形成されている。また、前記後側仕切壁１１２の後側には、この後側仕切壁１１２、上部壁１１５ａ、本体ケース１１０の内周壁および後壁１１６によって区画された電動送風機室１１５が形成されている。また、前記集塵室１１４の上部は開口され、この開口は本体ケース１１０に設けた蓋１１９によって開閉されるようになっている。
【００５１】
そして、前記集塵室１１４には使い捨てつまり交換可能な紙袋からなる集塵フィルター１２０が配設されている。また、前記前側仕切壁１１１には発泡ウレタンフォーム等からなるフィルター１２２ａを取り付けた枠体１２２ｂが着脱可能に設けられている。
【００５２】
また、前記本体ケース１１０の前部には前記集塵室１１４に連通して前記吸込口１０８が形成されており、この吸込口１０８に前記吸込みホース１０５が着脱可能に嵌合されるようになっているものである。
【００５３】
また、前記電動送風機室１１５には電動送風機１３０が配設されており、この電動送風機１３０は電動機１３１とこの電動機１３１によって回転駆動される図示しない遠心ファンとこの遠心ファンを収納するファンカバー１３２とから構成されている。また、この電動送風機１３０は前部を緩衝機能を有する弾性ゴム等からなる支持体１３３によって支持され、後部を前記後壁１１６に形成した貫通孔１１６ａに嵌合された同じく緩衝機能を有する弾性ゴム等からなる支持体１３４によって支持されて電動送風機室１１５に配設されているものである。
【００５４】
また、前記後壁１１６には通風口１１６ｂが設けられており、また、後壁１１６ａと本体ケース１０の後壁１１０ａとの略中間に位置して仕切壁１１７が形成されており、この仕切壁１１７には前記通風口１１６ｂに対向した風路口１１７ａが形成されている。
【００５５】
また、前記本体ケース１０の後壁１１０ａには、その上部領域に複数のスリット状の開口からなる分散排気口１４０が設けられている。この分散排気口１４０の内側には発泡ウレタンフォーム等からなる消音機能を兼ねたフィルター部材１４１が配設されている。また、後壁１１０ａには前記分散排気口１４０を開閉する図示しないシャッターが着脱可能に取り付けられるようになっている。
【００５６】
また、前記本体ケース１０の後壁１１０ａの前記分散排気口１４０の下方には集中排気口１４４が形成されており、この集中排気口１４４には筒状の嵌合部１４５が後壁１１０ａから後方に突出させて形成されている。
【００５７】
そして、この嵌合部１４５には図１に示すように給気管１６０の一端が着脱可能に接続され、この給気管１６０の他端は前記清掃具１０の回転管１４に接続されている。また、集中排気口１４４には発泡ウレタンフォーム等からなる消音機能を兼ねたフィルター部材１４４ａが設けられている。
【００５８】
また、前記前側仕切壁１１１とこの前側仕切壁１１１と所定間隔離間して形成して設けられた後側仕切壁１１２との間に形成される空間部は風路室１５０となっており、この風路室１５０の底壁つまり本体ケース１０の底壁には空気取入口１５１が形成され、この空気取入口１５１は開閉蓋１５２によって選択的に開閉できるようになっている。また、開閉蓋１５２の一端側は軸１５２ａによって回動可能に支持されており、また、他端側は後側仕切壁１１２に設けた規制突起１１２ｂによって所定以上に回動しないようになっている。また、この開閉蓋１５２は空気取入口１５１を閉じた際は図示しない係止凸部によって開かないように係止されるようになっているものである。
【００５９】
そして、空気取入口１５１は、前記清掃具１０を接続して使用する際つまり清掃機１として使用する場合は開放し、前記清掃具１０を使用しないつまり掃除機として使用する場合は閉じるものである。そして、前記清掃具１０を使用する際に空気取入口１５１を開放することにより、外部から空気をスムーズにつまり集塵フィルター１２０の通気抵抗に無関係に外部から空気を流入させることができるものであり、また、掃除機として使用する場合は閉じることにより吸込力の低下を防止するようになっているものである。
【００６０】
つぎに、上記のように構成した清掃機１の作用を説明する。
【００６１】
使用に際しては、まず図１に示すように掃除機１００に後壁１０ａに設けた嵌合部１４５と清掃具１０の回転管１４とを給気管１６０によって接続し、また、前記開閉蓋１５２を開いて空気取入口１５１を開放するとともに、前記分散排気口１４０に図示しないシャッターを取り付けて分散排気口１４０から排気風ができないようにして、すべての排気風を集中排気口１４４から排気させるようにする。また、前記吸込口１０８から吸込みホース１０５を取り外すことにより吸込口１０８からも容易に吸気できるようにしておく。ついで、掃除機１００の本体ケース１１０の上部に設けられた図示しない電源スイッチを閉成し電動送風機１３０を駆動させる。そして、電動送風機１３０が駆動すると電動送風機１３０の吸引力によって前記空気取入口１５１および吸込口１０８から外気つまり空気が吸込まれて、この空気は電動機１３１の内部を通って後壁１１６に設けた風路口１１６ｂ、仕切壁１１７に設けた風路口１１７ａ、集中排気口１４４、給気管１６０、回転管１４０よび接続管２８を介してファン室１２内に流れ込み、吹出口３６から収納室１３内に流入しついで前記蓋体４０の貫通孔４３から外部に流出する。
【００６２】
そして、空気がファン室１２内を通過する際にこの空気はファン翼５４に当たり前記ファン５０は回転し、このファン５０の回転によりこのファン５０と一体に回転する回転軸５７に取り付けられている前記撹拌体７０および泡立て部材６０もファン５０とともに回転する。そして、撹拌体７０および泡立て部材６０が回転している状態の清掃具１０を前記回転管１４を手で持って図５に示すように底部に清掃に必要な適量の水（以下清掃用水という）を溜めるとともに適当な洗剤を適量入れた浴槽等８０に撹拌体７０の下面つまり払拭面を浴槽等の内周面に接触させるかあるいは接近させた位置にして浴槽等の清掃面つまり底壁８１、周壁８２に沿って移動させる。なお、前記適量の清掃水とは図５に示すように清掃体１０を浴槽等８０に前側を下にして傾けるとともに前方部を浴槽８０の底壁８１に接触させるかあるいは接近させた状態に位置させた際、清掃具１０の前側つまり小孔４２が形成されている領域部分が清掃用水内に没入する程度の量である。
【００６３】
そして、上記のようにファン５０の回転によって攪拌体７０は回転していることから、この回転によって前記清掃用水は攪拌されて回転水流となるため、この回転水流によって前記清掃面に付着している通常の汚れは除去され、また、取れにくい汚れは攪拌体７０の払拭面を清掃面に接触させることにより拭き取られて除去される。
【００６４】
また、前記ファン５０の回転によって泡立て部材６０が回転するが、この泡立て部材６０の回転作用によって小孔４２から清掃用水が収納室１３内に吸い込まれつまり流入し、この流入した清掃用水は前記ファン室１２から吹出口３６を介して収納室１３に吹き出す空気によって泡立てられるつまり泡が生起され、この泡は前記貫通孔４３から外部に流出つまり流し出され、この泡に前記攪拌体７０の回転によって除去された汚れが付着することになる。つまり前記攪拌体７０の回転によって除去された汚れは、前記泡によって捕捉されることになり泡以外の清掃用水の汚れを防止できることから清掃効率を向上させることができるものである。また、泡はその表面積が大きいため汚れ捕捉量が大きく、このため清掃用水に汚れの混入を防止できることから清掃効率を向上させることができるものであり、また、清掃中に攪拌されている清掃水に混入し清掃面に接触した泡が破裂する際にエネルギーが発生し、このエネルギーによっても汚れは除去されるものである。
【００６５】
このように清掃機１は、接続管２８が設けられたファン室１２と、このファン室１２の上部に収納室１３を設け、ファン室１２にファン５０を配設し、このファン５０を電動送風部としての掃除機１００から空気を送気して回転させ、このファン５０によって収納室１３に配設された泡立て部材６０と攪拌体７０とを回転させ、攪拌体７０の回転によって生起される回転水流等および泡立て部材６０のよって生起される泡の汚れ捕捉作用と破裂時のエネルギーによる汚れ除去作用によって浴槽等８０の清掃を効率よくできるものである。
【００６６】
また、前記ファン室１２に接続管２８に接続された給気管６８を介して掃除機１００からファン５０を回転させる空気を送気するようにしたため、モーターあるいはコネクター等が必要ないことから、これらモーターあるいはコネクター等を用いることによって生じる電気的絶縁のための絶縁構成を不要とするとともに安価とすることができ、また、ファンを回転させる空気は吸込み気流ではなく電気掃除機１００から送気されるつまり吹き出されるものであることから、水等が吸引されることはなく電動送風機等に悪影響を及ぼすことを確実に排除できるものである。
【００６７】
なお、上記実施の形態においては、攪拌体７０の下面に払拭機能を持たせるための構成を円盤部７１の下面に形成した微小な凹凸面によって構成したが、これは攪拌体７０の下面を覆うようにして取り付けた布等によって形成してもよいものである。また、浴槽等８０の通常の汚れは攪拌体７０の回転による攪拌作用によって生起される回転水流に除去されるものであることから、攪拌体７０に特別に払拭機能を持たせることなく、回転水流を生起させる機能のみを持たせるように構成してもよいものである。また、回転水流を効果的に生起させるために攪拌体７０に攪拌翼を形成するようにしてもよく、また、形状は円盤状に限定されないものである。なお、この場合攪拌体７０は浴槽等８０の清掃面を傷付けないような材料とするとよい。
【００６８】
また、上記実施の形態においては、攪拌体７０と泡立て部材６０とを設けるようにしたが、これは清掃する対象および用途等に応じて、いずれか一方のみを設けるようにしてもよいものである。
【００６９】
また、上記実施の形態においては、電動送風部として掃除機を用いるようにしたが、これは専用の電動送風機を用いるようにしてもよいものである。
【００７０】
また、上記実施の形態においては、電動送風部としての掃除機をいわゆるキャニスター形式の掃除機としたが、これは図６に示すアップライト形式の掃除機２００としてもよいものである。つぎに、このアップライト形式の掃除機２００の構成を図６に基づいて説明する。
【００７１】
図６に示すように、掃除機２００は掃除機本体２１０とこの掃除機本体２１０の先端部に設けられた吸込口体２７０とから構成されている。そして、前記掃除機本体２１０内には、下方部（吸込口体本体２７５側）に電動送風機室２１５が形成されており、この電動送風機室２１５には電動送付機２３０が配設され、また、上方部つまり電動送付機２３０が配設された部位の上方には集塵室２１４が形成され、この集塵室２１４には集塵袋２２０が着脱可能に設けられている。
【００７２】
また、集塵室２２０の前壁２１１とこの前壁２１１と対向する電動送風機室２１５の後壁２１２との間には、これら前壁２１１と後壁２１２とに一体に形成された周壁２１１ａとにより風路２１３が形成されている。また、周壁２１１ａには前記風路２１３に連通する貫通孔２１１ｂが形成されている。また、前記前壁２１１および後壁２１２にはそれぞれ開口２１１ｃおよび２１２ａが形成され、これら開口２１１ｃおよび２１２ａを介して集塵室２１４と前記電動送風機２３０のファンかバー２３１に形成された図示しない吸入口とは連通している。
【００７３】
また、前壁２１１、後壁２１２、周壁２１１ａの貫通孔２１１ｂが形成され領域部分と掃除機本体２１０に側壁とによって流路２４０が形成されており、この流路２４０を形成している前記後壁２１２には貫通孔２４１が形成されている。また、この貫通孔２４１に電磁弁等からなる弁２４１ａが設けられている。
【００７４】
また、前記電動送風機２３０の遠心ファン２３１ｆを覆うファンカバー２３１の下流側には遮蔽板２４３が設けられており、この遮蔽板２４３と前記ファンかバー２３１とによって内部にファン室２４５が形成されている。また、前記遮蔽板２４３にはファン室２４５の下流側に位置して開口２４３ａが形成され、前記図示しない吸入口から吸い込まれた吸込気流は前記開口２４３ａを介してファン室２４５から流出するようになっている。
【００７５】
また、電動送風機２３０の電動機２３２のフレーム２３２ａは円筒状に形成されており、このフレーム２３２ａの外周には前記遮蔽板２４３側を開口するとともに底壁２５１にフレーム２３２ａに気密状態に嵌合する嵌合孔２５２が形成された有底筒状に形成された流路形成部材２５０が、前記嵌合孔２５２をフレーム２３２ａに嵌合させて取り付けられている。この流路形成部材２５０を前記フレーム２３２ａに取り付けた際は、流路形成部材２５０の開口は前記遮蔽板２４３によって閉蓋され、この閉蓋によって流路形成部材２５０の内部に流路室２５３が形成されるようになっている。
【００７６】
また、流路形成部材２５０には隔壁２５４等によって前記流路室２５３と隔離して形成した流路２５５が形成されている。
【００７７】
そして、前記流路２５５は前記フレーム２３２ａに形成した貫通孔２３２ｂを介して前記フレーム２３２ａの内部と連通しており、流路２５５は前記流路２４０に連通している貫通孔２４１と連通管２４２によって連通接続されている。
【００７８】
また、前記流路形成部材２５０に周壁には前記流路室２５３に連通する接続口２５６が形成され、この接続口２５６には略Ｌ字状に形成された接続管２５７が接続されている。
【００７９】
また、流路形成部材２５０の周壁には前記流路室２５３および流路２５５と隔離して形成され、フレーム２３２ａ内を通る冷却を流出させる図示いない流出口が設けられている。
【００８０】
また、前記電動機２３２には回転軸に取り付けられ前記掃除機本体２０１に設けられた開口２０２から冷却風を取り込み電動機２３２を冷却する冷却ファン２３２ｆが設けられており、この冷却ファン２３２ｆが回転すると冷却風は前記開口２０１ａから流入しフレーム２３２ａの内部を通って前記前記図示しない流出口から流出し掃除機本体２０１に形成された図示しない開口から外部に流出するようになっている。
【００８１】
また、掃除機本体２０１の図において両側には、図に示すようにホース収納溝２０３ａおよび２０３ｂが形成されており、この一方つまり図において下側は合流するように形成され、この合流部には略く字状に形成された一対の管２０４ａおよび２０４ｂを互いに下端側を背中合わせとし両者をＹ字として形成し接続管２０４が設けられている。なお、前記ホース収納溝２０３ａの合流部近傍部には図示しないが開口が形成されている。
【００８２】
この接続管２０４の端部には前記吸込口体２７０の継手管２７１が図示しないねじによって取り付けられている。この継手管２７１は、略Ｌ字状に形成された一対の管２７１ａおよび２７１ｂの上端側を背中合わせとし両者を逆Ｙ字として形成され、上端側端部が上記したように接続管２０４の端部に取り付けられ、また、下端側の端部つまり一対の管２７１ａおよび２７１ｂの先端部は吸込口体本体２７５の両端側に回動可能に取り付けられている。
【００８３】
また、吸込口体本体２７５の内部には図示しない吸込室が形成されており、この吸込室の長手方向両端側はそれぞれ前記一対の管２７１ａおよび２７１ｂに連通しており、また、吸込室には回転清掃体２７６が配設されている。
【００８４】
そして、前記管２０４ｂと前記集塵室２１４に設けた吸込口２１４ａとは、前記ホース収納溝２０３ｂに収納されたホース２６０によって接続されている。また、前記流路形成部材２５０の周壁に形成された接続口２５６に接続された接続管２５７には、軸方向に大きく伸縮するホース２６１の一端側が固定して取り付けられており、このホース２６１の他端側には接続管２６２が取り付けられている。そして、この接続管２６２の先端部はは前記管２０４ａに着脱可能に嵌合できる嵌合部２６２ａが形成されており、この嵌合部２６２ａは常時は管２０４ａに気密状態にして嵌合されているものである。また、前記ホース２６１は、前記接続管２６２を管２０４ａから取り外し前記ホース収納溝２０３ａに形成した図示しない開口から外部に引き出すことができるようになっている。
【００８５】
つぎに、上記掃除機２００の動作を説明する。
【００８６】
掃除をする場合は接続管２６２は管２０４ａに嵌合した状態となっており、また、前記弁２４１ａは閉じられているものである。
【００８７】
そして、電動送風機２３０を駆動するとともに把手２０８を持って吸込口体２７０が床面上を前後方向に走行するように操作する。電動送風機２３０の駆動により吸込力が生じ、この吸込力によって吸込口体本体２７５の吸込開口から床面の塵埃は吸込み気流とともに前記継手管２７１の管２７１ｂ、接続管２０４の管２０４ｂ、ホース２６０、吸込口２１４ａ、集塵室２１４に流入し塵埃は集塵袋２２０によって除去され、ついで塵埃が除去された吸込み気流は、風路２１３、ファン室２４５、流路室２５３、接続管２５７、ホース２６１、管２０４ａ、管２７１ａを経て吸込口体本体２７５の吸込室に噴出する。そして、吸込室に噴出される吸込み気流は床面に吹き付けられることから、床面に存在する塵埃を床面から浮き上がらせるように作用し、この作用と同時に吸引力が作用することから効率よく掃除ができるとともに、排気風は外部に排気されないことから従来のもののように集塵袋等を通過した微細塵が外部に排出されることがない。
【００８８】
つぎに、上記掃除機２００に前記清掃具１０を接続する場合は、前記ホース２６１の他端部に接続された接続管２６２を前記管２０４ａから外し、ホース２６１をホース収納溝２０３ａに形成した図示しない開口から引き出し、そして前記接続管２６２の嵌合部２６２ａを清掃具１０の接続管２８に接続する。また、図示しない弁用スイッチを操作し前記弁２４１ａを開く。この弁２４１ａが開くと電動機２３２のフレーム２３２ａの内部は、流路２５５、連通管２４２、開口２４１、流路２４０、貫通孔２１１ｂ、流路２１３を介してファン室２４５に連通する。
【００８９】
この状態で、前記電動送風機２３０を駆動すると、電動送風機２３０の吸引力によって、前記吸込口体本体２７５、ホース２６０、集塵室２１４、ファン室２４５、流路室２５３、接続管２５７、ホース２６１を介して、清掃具５０のファン室１２に流入しファン５０を回転させる。また、前記弁２４１ａが開いていることから、電動機本体２１０の給気口２０２から吸い込まれた空気は電動機２３２のフレーム２３２ａの内部、流路２５５、連通管２４２、開口２４１ａ、流路２４０、貫通口２１１ｂ、流路２１３を介してファン室２４５内に吸い込まれ、ついで、流路室２５３、接続管２５７、ホース２６１を介して清掃具１０のファン室１２に流入しファン５０を回転させる。
【００９０】
したがって、弁２４１ａを開くことにより集塵室２１４を経由することのない経路から空気を吸入することができることから、集塵袋２２０が目詰まりした状態においても前記ファン５０を回転させるに必要な給気流を確実に確保できるものである。
【００９１】
そして、前記ファン５０を回転させた状態で清掃具１０を回転管１４を手に持って上述したと同様にして浴槽等の清掃をするものである。
【００９２】
そして、この掃除機２００は、ファン室２４５からの空気を吸込口体２７０に送るための伸縮性の大きいホース２６１を接続管２０４の管２０４ａに着脱可能にして、このホース２６１を清掃具１０に接続するようにしたことから、ホース２６１を共用できることか、専用の給気ホースを必要としないという利点がある。
【００９３】
【発明の効果】
上記のように請求項１記載の発明の清掃具は、空気を送気する電動送風機等におけるモーターあるいはコネクター等を用いないことから、電気的絶縁を必要としないため、これら絶縁構成を不要とするとともに安価とすることができる。また、ファンを回転させる空気は吸込み気流でないことから、水等が吸引されることはなく電動送風機等に悪影響を及ぼすことを確実に排除できるという効果を有するものである。
【００９４】
また、請求項２記載の発明の清掃具は、モーターあるいはコネクター等を用いないことから、電気的絶縁を必要としないため、これら絶縁構成を不要とするとともに安価とすることができる。また、ファンを回転させる空気は吸込み気流でないことから、水等が吸引されることはなく電動送風機等に悪影響を及ぼすことを確実に排除できるという効果を有するものである。
【００９５】
また、前記ファンによって回転する攪拌体によって生じる水流によって浴槽等の内周壁面の汚れを確実に除去できるという効果を有するものである。この効果は浴槽等の水に洗剤を加えることによりさらに向上させることができるものである。
【００９６】
また、請求項３記載の発明の清掃機は、その清掃具にモーターあるいはコネクター等を用いないことから、電気的絶縁を必要としないため、絶縁構成を不要とするとともに安価とすることができる。また、ファンを回転させる空気は吸込み気流でないことから、水等が吸引されることはなく、電動送風機等に悪影響を及ぼすことを確実に排除できるという効果を有するものである。
【００９７】
また、前記ファンによって回転する泡立て部材が生起する水流への空気の混入によって生じる気泡によって、浴槽等の内周壁面の汚れを確実に除去できるという作用を有するものである。この作用は浴槽等の水に洗剤を加えることにより、さらに泡立てを容易にできるとともに、発生量も多くできることからさらに清掃効果を向上させることができるという効果を有するものである。
【００９８】
また、請求項４記載の発明の清掃機は、その清掃具にモーターあるいはコネクター等を用いないことから、電気的絶縁を必要としないため、絶縁構成を不要とするとともに安価とすることができる。また、ファンを回転させる空気は吸込み気流でないことから、水等が吸引されることはなく電動送風機等に悪影響を及ぼすことを確実に排除できるという効果を有するものである。
【００９９】
また、前記ファンによって回転する攪拌体によって生じる水流および気泡によって生じる清掃作用の相乗効果によって浴槽等の内周壁面の汚れを確実に除去できるという効果を有するものである。
【０１００】
また、請求項５記載の発明の清掃具、及び請求項６記載の発明の清掃機は、攪拌体に持たせた払拭機能により、浴槽等の内周壁面に付着した汚れを払拭できることから、浴槽等の清掃面の清掃効果を向上させることができるという効果を有するものである。
【０１０１】
また、請求項７記載の発明は、電動送風部に集中排気口を備えた電気掃除機を共用できることから、安価とできるという効果を有するものである。
【図面の簡単な説明】
【図１】本発明の実施の形態の清掃機の全体斜視図。
【図２】上記実施の形態の清掃機の電動送風部の第一の実施の形態である電気掃除機の要部断面図。
【図３】上記実施の形態の清掃具の平面図。
【図４】上記実施の形態の清掃具の断面図。
【図５】上記実施の形態の清掃具によって浴槽等の清掃状態を示した図。
【図６】上記実施の形態の清掃機の電動送風部の第二の実施の形態である電気掃除機をその一部を段目して示した図。
【符号の説明】
１          清掃機
１０        清掃具
１２        清掃具のファン室
１３        収納室
２１        底壁
２２        環状壁
２８        接続管
３１        天井壁
３６        吹出口
４０        蓋体
４２        小孔（流入用の孔）
４３        貫通孔（流出用の孔）
５０        ファン
５７        回転軸
７０        攪拌体
１００      電気掃除機（電動送風部）
１４４      集中排気口
１６０      給気管
【図１】
0003742209.tif 000002
【図２】
0003742209.tif 000003
【図３】
0003742209.tif 000004
【図４】
0003742209.tif 000005
【図５】
0003742209.tif 000006
【図６】
0003742209.tif 000007